(57)【要約】  【課題】  映像出力装置から出力される映像データの内、利用者が設定した範囲の映像を抽出して記録する映像記録システム及び映像記録装置の提供。  【解決手段】  利用者が編集したい映像の開始点及び終了点のタイムコードを受付け、受付けたタイムコードを編集ポイント設定リストとして記憶する。そして、ＤＶＣから出力されるストリーム信号をＨＤＤに記録する際、編集ポイントに対応するタイムコードを検出したか否かを判断し（Ｓ２０）、検出した場合には（Ｓ２０：ＹＥＳ）、編集ポイントであることを識別できる識別信号を付加した上でストリーム信号をＨＤＤに記録する（Ｓ２１）。ＨＤＤ１９に記録されたストリーム信号の内、利用者によって設定された範囲のストリーム信号を光ディスクに記録させる際、前記識別信号に基づいて光ディスクへの記録を行う（Ｓ２８）。【選択図】        図４
2005101869.tif 000002
【特許請求の範囲】
【請求項１】
複数のフレームからなり、各フレームを識別する識別情報を含んだ映像データを出力する映像出力装置と、該映像出力装置から出力される映像データを取込み、取込んだ映像データを記録する映像記録装置とを備える映像記録システムにおいて、
前記映像記録装置は、異なる２つのフレームを指定する識別情報を受付ける手段と、取込んだ映像データを記録する際、前記手段にて受付けた識別情報を検出する手段と、該手段が検出した識別情報に対応付けられているフレームを指定する指定情報を生成する手段と、生成した指定情報を記憶する手段と、記憶した指定情報により指定されるフレーム間の映像データを記録する手段とを備えることを特徴とする映像記録システム。
【請求項２】
前記映像記録装置は、前記フレーム間の映像データを可搬型の記録媒体に記録するよう構成されていることを特徴とする請求項１に記載の映像記録システム。
【請求項３】
前記映像出力装置は、映像データを表示する手段を備え、該手段が表示している映像データを出力するよう構成されていることを特徴とする請求項１又は請求項２に記載の映像記録システム。
【請求項４】
複数のフレームからなり、各フレームに対して識別情報が付されている映像データを外部から取込み、取込んだ映像データを記録する映像記録装置において、
異なる２つのフレームを指定する識別情報を受付ける手段と、取込んだ映像データを記録する際、前記手段にて受付けた識別情報を前記映像データから検出する手段と、該手段が検出した識別情報に対応付けられているフレームを指定する指定情報を生成する手段と、生成した指定情報を記憶する手段と、記憶した指定情報により指定されるフレーム間の映像データを記録する手段とを備えることを特徴とする映像記録装置。
【発明の詳細な説明】
【技術分野】
【０００１】
本発明は、映像出力装置から出力される映像データの内、利用者が設定した範囲の映像を抽出して記録する映像記録システム及び映像記録装置に関する。
【背景技術】
【０００２】
従来から、磁気記録テープ等の記録媒体に記録されたデジタル形式の音声信号及び映像信号をデジタルＶＴＲ等により再生し、再生された音声信号及び映像信号を別の記録媒体であるハードディスク等の記憶装置を利用してデジタル的に編集する映像編集システムが提案されている（例えば、特許文献１参照）。
【０００３】
図６は従来の映像編集システムの概略構成を示すブロック図である。従来の映像編集システムは、磁気記録テープに記録された映像信号を再生して出力するＤＶＣ２（DVC : Digital Video Cassette）と、パーソナルコンピュータ５（以下、ＰＣと称する）とにより構成される。ＤＶＣ２とＰＣ５とは、ＩＥＥＥ１３９４の規格に準拠した１３９４バスケーブルＣ１により接続されており、ＤＶＣ２から出力された音声用及び映像用のデジタルストリーム信号が、１３９４インタフェースボード５４を通じてＰＣ５の内部に取込まれる。取込まれたデジタルストリーム信号は、ＰＣＩバス等の内部バス５２及びＨＤＤインタフェース５６ａを介してＨＤＤ５６に記録される。
【０００４】
利用者がＰＣ５を利用して映像の編集を行う場合、ＰＣ５からＤＶＣ２を制御することによりＤＶＣ２にセットされた磁気記録テープを再生させ、前述の経路を通じて音声用及び映像用のデジタルストリーム信号をＰＣ５内のＨＤＤ５６に記録させる。次いで、ＣＰＵ５１からの制御によりＨＤＤ５６に記録されたデジタルストリーム信号を読出し、読出したデジタルストリーム信号をＨＤＤインタフェース５６ａ及び内部バス５２を介して１３９４インタフェースボード５４からＤＶＣ２に送出する。ＤＶＣ２に取込まれたデジタルストリーム信号は、図に示していないコーデックによりデコードされた後、ＤＶＣ２に接続されたモニタ２ａに送出され、モニタ２ａにて映像が表示される。
【０００５】
そこで、利用者がＤＶＣ２に接続されたモニタ２ａの再生画像を確認しながらＰＣ５の操作により編集の開始点及び終了点のプログラムを定めた場合、グラフィックボード５５を介して接続ケーブルＣ２により接続されたモニタ３に前記プログラムが表示されるとともに、そのプログラムに従ってＨＤＤ５６からデジタルストリーム信号が読出され、内部バス５２に接続されたメモリ５３内に一時的に保存された後、再度１３９４インタフェースボード５４を通じてＤＶＣ２に送出され、ＤＶＣ２の内部にて音声信号及び映像信号が編集された状態で磁気記録テープに記録されることとなる。このようにしてＤＶＣ２にセットされた磁気記録テープに記録された映像及び音声の編集を行うようにしていた。
【特許文献１】特開２０００−１５２１６９号公報
【発明の開示】
【発明が解決しようとする課題】
【０００６】
しかしながら、前述した映像編集システムでは、ＤＶＣ２からの音声及び映像の編集をＰＣ５内部に搭載されたＨＤＤ５６を用いて行っており、ＰＣ５が接続されていない場合には編集できないシステムとなっている。また、編集後の音声信号及び映像信号をＤＶＣ２内の磁気記録テープに記録することは可能であるが、ＤＶＤ−Ｒディスク等の別の記録媒体に記録する場合には、別途書き込み用のアプリケーションソフトウェアを用意してＰＣ５にインストールする必要があるため、編集システムとしてのコストを押し上げるという問題点を有していた。
【０００７】
本発明は斯かる事情に鑑みてなされたものであり、各フレームを識別する識別情報を含んだ映像データを出力する映像出力装置と、該映像出力装置から出力される映像データを取込んで記録する映像記録装置とが接続されており、映像記録装置は、異なる２つのフレームを指定する識別情報を受付け、取込んだ映像データを記録する際、受付けた識別情報を検出し、検出した識別情報に対応付けられているフレームを指定する指定情報を生成して記憶し、記憶した指定情報により指定されるフレーム間の映像データを記録する構成とすることにより、パーソナルコンピュータ等の情報処理装置を用いることなく、安価に映像の編集を行うことができる映像記録システム及び映像記録装置を提供することを目的とする。
【課題を解決するための手段】
【０００８】
本発明に係る映像記録システムは、複数のフレームからなり、各フレームを識別する識別情報を含んだ映像データを出力する映像出力装置と、該映像出力装置から出力される映像データを取込み、取込んだ映像データを記録する映像記録装置とを備える映像記録システムにおいて、前記映像記録装置は、異なる２つのフレームを指定する識別情報を受付ける手段と、取込んだ映像データを記録する際、前記手段にて受付けた識別情報を検出する手段と、該手段が検出した識別情報に対応付けられているフレームを指定する指定情報を生成する手段と、生成した指定情報を記憶する手段と、記憶した指定情報により指定されるフレーム間の映像データを記録する手段とを備えることを特徴とする。
【０００９】
本発明にあっては、映像記録装置にて２つのフレームを指定する識別情報を受付け、映像出力装置から出力された映像データを取込んで記録する際、前記識別情報を検出し、検出した識別情報に対応付けられているフレームを指定する指定情報を生成して記憶し、記憶した指定情報により指定されるフレーム間の映像データを記録するようにしているため、パーソナルコンピュータのような情報処理装置を用いることなく映像出力装置及び映像記録装置のみを利用して映像を編集することが可能となり、システム全体のコストが低減される。
【００１０】
本発明に係る映像記録システムは、前記映像記録装置は、前記フレーム間の映像データを可搬型の記録媒体に記録するよう構成されていることを特徴とする。
【００１１】
本発明にあっては、指定されたフレーム間の映像データを可搬型の記録媒体に記録するようにしているため、予め指定されたフレームの識別情報に基づいて利用者が設定した範囲の映像データがＤＶＤ−Ｒディスク、ＣＤ−Ｒディスク等の可搬型の記録媒体に記録される。
【００１２】
本発明に係る映像記録システムは、前記映像出力装置は、映像データを表示する手段を備え、該手段が表示している映像データを出力するよう構成されていることを特徴とする。
【００１３】
本発明にあっては、映像出力装置は、映像データを表示する手段を備え、表示している映像データを出力するようにしているため、編集対象の映像データが映像出力装置に表示されることとなる。
【００１４】
本発明に係る映像記録装置は、複数のフレームからなり、各フレームに対して識別情報が付されている映像データを外部から取込み、取込んだ映像データを記録する映像記録装置において、異なる２つのフレームを指定する識別情報を受付ける手段と、取込んだ映像データを記録する際、前記手段にて受付けた識別情報を前記映像データから検出する手段と、該手段が検出した識別情報に対応付けられているフレームを指定する指定情報を生成する手段と、生成した指定情報を記憶する手段と、記憶した指定情報により指定されるフレーム間の映像データを記録する手段とを備えることを特徴とする。
【００１５】
本発明にあっては、２つのフレームを指定する識別情報を受付け、外部から映像データを取込んで記録する際、前記識別情報を検出し、検出した識別情報に対応付けられているフレームを指定する指定情報を生成して記憶し、記憶した指定情報により指定されるフレーム間の映像データを記録するようにしているため、パーソナルコンピュータのような情報処理装置を用いることなく映像出力装置及び映像記録装置のみを利用して映像を編集することが可能となる。
【発明の効果】
【００１６】
本発明による場合は、映像記録装置にて２つのフレームを指定する識別情報を受付け、映像出力装置から出力された映像データを取込んで記録する際、前記識別情報を検出し、検出した識別情報に対応付けられているフレームを指定する指定情報を生成して記憶し、記憶した指定情報により指定されるフレーム間の映像データを記録するようにしているため、パーソナルコンピュータのような情報処理装置を用いることなく映像出力装置及び映像記録装置のみを利用して映像を編集することができ、システム全体のコストを低く抑えることができる。
【００１７】
本発明による場合は、指定されたフレーム間の映像データを可搬型の記録媒体に記録するようにしているため、予め指定されたフレームの識別情報に基づいて利用者が設定した範囲の映像データをＤＶＤ−Ｒディスク、ＣＤ−Ｒディスク等の可搬型の記録媒体に記録することができる。
【００１８】
本発明による場合は、映像出力装置は、映像データを表示する手段を備え、表示している映像データを出力するようにしているため、編集対象の映像データが映像出力装置に表示され、利用者は表示された映像を見ながら編集すべき映像データの開始点及び終了点を設定することができる。
【発明を実施するための最良の形態】
【００１９】
以下、本発明をその実施の形態を示す図面に基づいて具体的に説明する。
図１は本実施の形態に係る映像記録システムを説明するブロック図である。図中１は、映像信号をハードディスクドライブ１９（以下、ＨＤＤ１９と称する）、及びＤＶＤ−Ｒディスクのような可搬型の記録媒体である光ディスク２１の双方に記録することができる映像記録装置であり、映像出力装置であるＤＶＣ２と、液晶ディスプレイ、ＣＲＴディスプレイ等のモニタ３とを映像記録装置１に接続して本実施の形態に係る映像記録システムを構築している。
【００２０】
映像記録装置１はＣＰＵにより構成される制御部１１を備えている。制御部１１にはバス１２を介してメモリ１３、操作部１４、１３９４インタフェース１５、コーデック１６、ドライブインタフェース１９ａ，２０ａ等の各種ハードウェアが接続されており、制御部１１がメモリ１３内に予め格納された制御プログラムを読出して実行することにより前述の各種ハードウェアを制御し、本実施の形態に係る映像記録装置１として機能させるようにしている。
【００２１】
操作部１４は、利用者の操作指示を受付けるための各種キー、ボタン、ジョグダイヤル等を備えている。操作部１４にて受付ける指示としては、外部から取込んだ映像信号を記録する際の開始指示、記録を停止するための停止指示、記録された映像信号を再生する際の開始指示、再生を停止するための停止指示等が含まれている。なお、本実施の形態では、操作部１４を通じて利用者の指示を受付ける構成としたが、リモート制御装置から発信される制御信号を受信する受信部を設け、当該受信部を通じて利用者の指示に応じた制御信号を受付ける構成であっても良いことは勿論のことである。
【００２２】
１３９４インタフェース１５は、ＩＥＥＥ１３９４の規格に準拠した信号を入出力する機器を接続するためのインタフェースである。本実施の形態では、映像信号及び音声信号からなるＡＶデジタルストリーム信号（以下では、単にストリーム信号と称する）を出力するＤＶＣ２が１３９４バスケーブルＣ１を介して接続されており、ＤＶＣ２から出力されるストリーム信号を１３９４インタフェース１５を通じて取込むことができる。また、ＤＶＣ２を制御するためのコマンド、ＤＶＣ２のステータス信号等から構成されるコントロール信号が１３９４インタフェース１５を通じて入出力される。
【００２３】
ＤＶＣ２が送出するデジタル形式のストリーム信号は、例えば、ＭＰＥＧ２形式により圧縮されているため、取込んだストリーム信号に基づいて映像及び音声の再生を行うには復号化して圧縮前の映像信号及び音声信号を取得する必要がある。コーデック１６は、１３９４インタフェース１５を通じて取込んだストリーム信号を復号化する回路を備えており、復号化して得られた映像信号及び音声信号をＤＡ変換器１７へ送出する。前記映像信号及び音声信号は、ＤＡ変換器１７によりアナログ形式の信号に変換され、変換されたアナログ形式の信号がモニタポート１８を通じて外部へ出力される。モニタポート１８には接続ケーブルＣ２を介してモニタ３が接続されており、ＤＶＣ２から出力されるアナログ形式の信号に基づいて映像及び音声が再生される。
【００２４】
ドライブインタフェース１９ａにはＨＤＤ１９が接続されており、ドライブインタフェース２０ａには光ディスクドライブ２０が接続されている。ＨＤＤ１９は、高速にアクセスすることができる大容量の記録媒体を備えており、ＤＶＣ２から出力されるストリーム信号の全体を記録することができる。一方、光ディスクドライブ２０は、ＤＶＤ−Ｒディスクのような光ディスク２１に信号を書込んで記録する記録装置であり、ＨＤＤ１９に記録されたストリーム信号の内、利用者により設定された範囲のストリーム信号を光ディスク２１に記録する。
【００２５】
本実施の形態では、編集作業を開始するにあたり、まず、ＤＶＣ２にセットされた磁気記録テープを再生させ、１３９４インタフェース１５を通じて取込んだストリーム信号をコーデック１６によりデコードし、デコードして得られたアナログ形式の映像信号を出力してモニタ３に映像を表示させる。このとき、利用者は編集したい映像の開始点（カットイン）と終了点（カットアウト）とを任意に設定することができ、操作部１４を利用して入力された開始点及び終了点のタイムコードが編集ポイント設定リストとしてメモリ１３の内部に記憶される。なお、編集の開始点及び終了点をまとめて編集ポイントと称する。図２は編集ポイント設定リストの一例を示す概念図であり、利用者が設定した編集の開始点に対応するタイムコードと終了点に対応するタイムコードとが互いに関連付けられて記憶されている。すなわち、図２に示した例では、タイムコード「３：１４．２５」から「３：２８．０３」までが編集により抽出される１つ目の範囲となっており、タイムコード「５：０７．１８」から「６：０２．１０」までが編集により抽出される２つ目の範囲となっており、タイムコード「１４：２３．０８」から「１６：１２．２６」までが編集により抽出される３つ目の範囲となっている。ＤＶＣ２による磁気記録テープの再生が終了した場合、映像記録装置１はＤＶＣ２を制御して磁気記録テープを巻き戻し、ストリーム信号を再度内部に取込む。このとき、利用者により設定された編集ポイント設定リストを参照して記憶されたタイムコードを検出し、対応するタイムコードが検出された場合には、編集ポイントとして識別できる識別信号をストリーム信号に付加してＨＤＤ１９に記憶させる。そして、記憶された識別信号に基づいて、利用者が設定した範囲の映像を光ディスク２１に記録させる。
【００２６】
図３及び図４は本実施の形態に係る映像記録装置１が実行する処理の手順を説明するフローチャートである。ＤＶＣ２に記録された映像信号の一部を抽出して光ディスク２１に別途記録する場合、まず、ＤＶＣ２にて映像の再生を開始させ（ステップＳ１１）、ＤＶＣ２から送出されるストリーミング信号をコーデック１６により復号化し、ＤＡ変換器１７によりアナログ形式に変換し、モニタポート１８から映像信号を出力することによりモニタ３にて映像を表示させる。利用者は、モニタ３に表示されている映像を見ながら抽出したい映像の開始点及び終了点を決定し、操作部１４を用いた所定の操作により編集ポイントを映像記録装置１に入力する。すなわち、映像記録装置１は、利用者が設定する編集ポイントを操作部１４を通じて受付け（ステップＳ１２）、受付けた編集ポイントをメモリ１３内の編集ポイント設定リストに記憶させる（ステップＳ１３）。次いで、映像記録装置１の制御部１１は、利用者による編集作業が完了したか否かを判断する（ステップＳ１４）。編集作業が完了したか否かは、例えば、操作部１４を通じて所定の操作がなされたか否かにより判断する。編集作業が完了していないと判断した場合（Ｓ１４：ＮＯ）、処理をステップＳ１２へ戻す。
【００２７】
一方、編集作業が完了したと判断した場合（Ｓ１４：ＹＥＳ）、制御部１１は、映像の再生を停止させるために再生の停止を指示するコマンドを生成し、生成したコマンドを１３９４バスケーブルＣ１を通じてＤＶＣ２へ送出する（ステップＳ１５）。なお、編集作業が完了した時点でＤＶＣ２が映像の再生を停止するようにしている場合には、本処理を省略することができる。
次いで、制御部１１は巻き戻しを指示するコマンドを生成し、生成したコマンドを１３９４バスケーブルＣ１を通じてＤＶＣ２へ送出する（ステップＳ１６）。ＤＶＣ２は前記コマンドを受取った場合、磁気記録テープを巻き戻し、先頭位置まで巻き戻しが完了した時点で、巻き戻しが完了した旨のステータス信号を１３９４バスケーブルＣ１を通じて映像記録装置１へ送出する。映像記録装置１では、巻き戻しを指示するコマンドを送出した後、前記ステータス信号を受信したか否かを監視することにより、磁気記録テープの巻き戻しが完了したか否かを判断する（ステップＳ１７）。巻き戻しが完了していないと判断した場合（Ｓ１７：ＮＯ）、巻き戻しが完了するまで待機し、巻き戻しが完了したと判断した場合（Ｓ１７：ＹＥＳ）、制御部１１は、ＤＶＣ２に対して再生を指示するコマンドを生成し、生成したコマンドを１３９４バスケーブルＣ１を通じてＤＶＣ２へ送出する（ステップＳ１８）。前記コマンドを受信したＤＶＣ２は映像の再生を開始し、ストリーム信号を１３９４バスケーブルＣ１を通じて映像記録装置１に送出する。
【００２８】
次いで、１３９４インタフェース１５を通じて取込んだストリーム信号からタイムコードを抽出し（ステップＳ１９）、メモリ１３に記憶された編集ポイント設定リストを参照することにより、編集ポイントに対応するタイムコードを検出したか否かを判断する（ステップＳ２０）。編集ポイントに対応するタイムコードを検出したと判断した場合（Ｓ２０：ＹＥＳ）、再生時に編集のカットイン及び編集のカットアウトであることを識別できる識別信号をストリーム信号に付加してＨＤＤ１９に記録する（ステップＳ２１）。また、ステップＳ２０において、編集ポイントに対応するタイムコードを検出していない場合（Ｓ２０：ＮＯ）、識別信号を付加することなくストリーム信号をＨＤＤ１９に記録する（ステップＳ２２）。図５は、ＨＤＤ１９及び光ディスク２１に記録されるストリーム信号を示す模式図であり、図５（ｂ）の矢符で示したように、編集ポイント設定リストに記憶されたタイムコードに対応した箇所に識別信号を付加してＨＤＤ１９にストリーム信号を記録する。
【００２９】
次いで、ＤＶＣ２から送られてくるステータス信号に基づいて再生が終了したか否かを判断し（ステップＳ２３）、再生が終了していないと判断した場合（Ｓ２３：ＮＯ）、処理をステップＳ１９へ戻し、再生が終了したと判断した場合（Ｓ２３：ＹＥＳ）、ＨＤＤ１９への記録を停止する（ステップＳ２４）。
【００３０】
次いで、ＨＤＤ１９に記録されたストリーム信号の読出しを開始し（ステップＳ２５）、ストリーム信号に付加された識別信号を検出したか否かを判断する（ステップＳ２６）。ストリーム信号に付加された識別信号を検出したと判断した場合（Ｓ２６：ＹＥＳ）、その識別信号がカットインに対応したものであるか否かを判断し（ステップＳ２７）、カットインに対応したものであると判断した場合（Ｓ２７：ＹＥＳ）、光ディスク２１への記録を開始し（ステップＳ２８）、カットインに対応していないと判断した場合、すなわち、検出した識別信号がカットアウトに対応したものであると判断した場合（Ｓ２７：ＮＯ）、光ディスク２１への記録を停止する（ステップＳ２９）。ステップＳ２６において識別信号を検出していないと判断した場合（Ｓ２６：ＮＯ）、又は光ディスク２１への記録を開始若しくは停止した場合、全てのストリーム信号の読出しが終了したか否かを判断する（ステップＳ３０）。読出しが終了していないと判断した場合（Ｓ３０：ＮＯ）、処理をステップＳ２６へ戻し、読出しが終了したと判断した場合（Ｓ３０：ＹＥＳ）、ストリーム信号の読出しを停止して（ステップＳ３１）、本映像記録装置１による処理を終了する。
【００３１】
このような処理を実行することにより、ＨＤＤ１９にはストリーム信号の全体が記録されることとなり、光ディスク２１には利用者が設定した範囲のストリーム信号のみが記録されることとなる（図５（ｃ）参照）。
【００３２】
なお、本実施の形態では、光ディスクドライブ２０を利用してＤＶＤ−Ｒディスクのような光ディスクに映像信号を記録する構成としたが、ＤＶＤ−Ｒディスクの他、ＣＤ−Ｒディスク、ＤＶＤ−ＲＡＭディスク等の各種の光ディスクを利用することが可能である。また、可搬型の半導体メモリ及び該半導体メモリへの書込み装置を利用して編集されたストリーム信号を記録するようにしても良いことは勿論である。
【図面の簡単な説明】
【００３３】
【図１】本実施の形態に係る映像記録システムを説明するブロック図である。
【図２】編集ポイント設定リストの一例を示す概念図である。
【図３】本実施の形態に係る映像記録装置が実行する処理の手順を説明するフローチャートである。
【図４】本実施の形態に係る映像記録装置が実行する処理の手順を説明するフローチャートである。
【図５】ＨＤＤ及び光ディスクに記録されるストリーム信号を示す模式図である。
【図６】従来の映像編集システムの概略構成を示すブロック図である。
【符号の説明】
【００３４】
１  映像記録装置
２  ＤＶＣ
３  モニタ
１１  制御部
１２  バス
１３  メモリ
１４  操作部
１５  １３９４インタフェース
１６  コーデック
１７  ＤＡ変換器
１８  モニタポート
１９  ハードディスクドライブ
２０  光ディスクドライブ
２１  光ディスク
【図１】
2005101869.tif 000003
【図２】
2005101869.tif 000004
【図３】
2005101869.tif 000005
【図４】
2005101869.tif 000006
【図５】
2005101869.tif 000007
【図６】
2005101869.tif 000008